(57)【要約】【課題】  バッテリーの用途を決定してバッテリーの再利用を効率的に支援することが可能なバッテリー再利用支援システムを提供する。【解決手段】  バッテリー再利用支援システムは、バッテリーの劣化状態を認識する認識部と、バッテリーの劣化状態に応じた該バッテリーの用途を示す情報である用途情報を記憶する記憶部と、バッテリーの劣化状態と用途情報とに基づいて該バッテリーの用途を決定する決定部と、決定部の決定結果を出力する出力部とを備える。【選択図】図１
2020038522.tif 000002
【特許請求の範囲】
【請求項１】
バッテリーの劣化状態を認識する認識部と、
前記バッテリーの劣化状態に応じた該バッテリーの用途を示す情報である用途情報を記憶する記憶部と、
前記認識部が認識した前記バッテリーの劣化状態と前記用途情報とに基づいて、該バッテリーの用途を決定する決定部と、
前記決定部の決定結果を出力する出力部とを備えることを特徴とするバッテリー再利用支援システム。
【請求項２】
請求項１に記載のバッテリー再利用支援システムにおいて、
前記決定部は、前記バッテリーを前記用途に用いるために売り渡した際に得られる対価である売渡額を該バッテリーの前記劣化状態に応じて決定するように構成されていることを特徴とするバッテリー再利用支援システム。
【請求項３】
請求項２に記載のバッテリー再利用支援システムにおいて、
前記売渡額に基づいてシステム利用者がシステム提供者に支払うべき対価である利用料を算出する算出部と、
前記利用料を決済する決済部とを備えることを特徴とするバッテリー再利用支援システム。
【請求項４】
請求項２又は３に記載のバッテリー再利用支援システムにおいて、
前記記憶部は、前記用途のバッテリーの買取を希望する者を識別する情報と該バッテリーの買取希望額とを含む買取条件情報を記憶しており、
前記決定部は、前記買取条件情報に含まれる前記買取希望額に基づいて前記売渡額を決定するように構成され、
前記買取条件情報と前記決定部が決定した用途とを用いて、前記バッテリーの所有者から該バッテリーの買取を希望する者に該バッテリーを売り渡すことを示す情報であって前記売渡額を含む売渡情報を生成する売買部と、
前記売渡情報に含まれる前記売渡額に基づいてシステム利用者がシステム提供者に支払うべき対価である利用料を算出する算出部とを備えることを特徴とするバッテリー再利用支援システム。
【発明の詳細な説明】
【技術分野】
【０００１】
本発明は、バッテリー再利用支援システムに関する。
【背景技術】
【０００２】
従来、携帯電話などの電子デバイスをリサイクルすることを可能とするシステムが知られている（例えば特許文献１）。
【０００３】
特許文献１のシステムによれば、携帯電話などの電子デバイスの所有者が、電子キオスクを用いて当該電子デバイスの状態を判定し、当該電子デバイスを再販売又はリサイクルのために売り渡すことにより、現金などで補償を受け取ることができる。
【先行技術文献】
【特許文献】
【０００４】
【特許文献１】特開２０１７−１８８１２４号
【発明の概要】
【発明が解決しようとする課題】
【０００５】
特許文献１の検索装置を、バッテリーの再利用を支援するシステムとして用いることが考えられる。
【０００６】
バッテリーは、充放電を繰り返すことにより徐々にその性能が劣化していくものである。劣化状態が進めば現在の用途で使い続けることができなくなる。
【０００７】
一方で、バッテリーには様々な用途があり、用途に応じてバッテリーに求められる性能の要件は大きく異なる。そのため、劣化状態が進んで現在の用途で使い続けることができなくても、他の用途においては再利用できる場合がある。
【０００８】
しかしながら、特許文献１のシステムは、単に判定対象が再販売対象であるか否か（つまり現在の用途で使い続けることが可能かどうか）を判定することができるものの、他の用途に再利用できるか否かを判定することまでは考慮されていない。
【０００９】
そのため、特許文献１のシステムでは、他の用途において再利用可能なバッテリーであっても、再販売対象でなければリサイクルの対象と判定されてしまい、他の用途において再利用可能なバッテリーが有効に活用されない課題がある。
【００１０】
本発明の目的は、かかる従来技術の課題に鑑み、バッテリーの用途を決定してバッテリーの再利用を効率的に支援することが可能なバッテリー再利用支援システムを提供することにある。
【課題を解決するための手段】
【００１１】
本発明によるバッテリー再利用支援システムは、
バッテリーの劣化状態を認識する認識部と、
前記バッテリーの劣化状態に応じた該バッテリーの用途を示す情報である用途情報を記憶する記憶部と、
前記認識部が認識した前記バッテリーの劣化状態と前記用途情報とに基づいて、該バッテリーの用途を決定する決定部と、
前記決定部の決定結果を出力する出力部とを備えることを特徴とする。
【００１２】
本発明によれば、バッテリーの劣化状態に応じた該バッテリーの用途を示す情報である用途情報を記憶している。
【００１３】
そしてバッテリー再利用支援システムは、バッテリーの劣化状態を認識し、バッテリーの劣化状態と用途情報とに基づいて、当該バッテリーの用途を決定し、当該決定結果を出力するように構成されている。
【００１４】
これにより、バッテリー再利用支援システムの利用者は、バッテリーの劣化状態という客観的な情報に基づいて、当該バッテリーを現在の用途で使い続けることが可能かどうかに加え、他の用途において再利用可能であるか否かを知ることができるので、バッテリーをバッテリーの劣化状態に応じた適切な用途に有効に活用することができる。
【００１５】
このように本発明によれば、バッテリーの劣化状態に基づいてバッテリーの用途を決定してバッテリーの再利用を効率的に支援することが可能なバッテリー再利用支援システムを提供することができる。
【００１６】
本発明によるバッテリー再利用支援システムにおいて、
前記決定部は、前記バッテリーを前記用途に用いるために売り渡した際に得られる対価である売渡額を該バッテリーの前記劣化状態に応じて決定するように構成されていることが好ましい。
【００１７】
本発明によれば、バッテリー再利用支援システムは、決定された用途に用いるために当該バッテリーを売り渡した際の対価である売渡額を当該バッテリーの劣化状態に応じて決定するように構成されている。
【００１８】
本発明のバッテリー再利用支援システムを、例えば中古バッテリーの取引事業者が用いることが想定される。
【００１９】
本構成のバッテリー再利用支援システムによれば、中古バッテリーの取引事業者などのシステム利用者は、バッテリーの劣化状態という客観的な情報に基づいて、当該バッテリーの用途に加え、当該用途に用いるために当該バッテリーを売り渡した際の対価の額を併せて知ることができるので、バッテリーを安心して値付けして売買を行うことができる。
【００２０】
このように本発明によれば、バッテリーの劣化状態に基づいてバッテリーの用途と売渡額とを決定してバッテリーの再利用を効率的に支援することが可能なバッテリー再利用支援システムを提供することができる。
【００２１】
本発明によるバッテリー再利用支援システムにおいて、
前記売渡額に基づいてシステム利用者がシステム提供者に支払うべき対価である利用料を算出する算出部と、
前記利用料を決済する決済部とを備えることが好ましい。
【００２２】
本発明によれば、バッテリー再利用支援システムは、バッテリーの売渡額に基づいてシステム利用者がシステム提供者に支払うべき対価である利用料を算出して決済するように構成されている。
【００２３】
本発明のバッテリー再利用支援システムを提供する場合、システム提供者はシステムの運用、用途情報の更新などに要する費用を負担してシステムを提供することとなる。これらの費用負担をすべてシステム提供者が自費で負担することとなると、バッテリー再利用支援システムの提供を継続することは困難になるおそれがある。
【００２４】
本構成のバッテリー再利用支援システムによれば、バッテリーの売渡額に基づいて利用料が算出されてシステム利用者からシステム提供者に当該料金が支払われる。
【００２５】
これにより、システム利用料によりシステム提供者の費用負担が軽減されるので、システム提供者がバッテリー再利用支援システムの提供を継続しやすくなる。
【００２６】
このように本発明によれば、システム提供者の費用負担を軽減しながら、バッテリーの劣化状態に基づいてバッテリーの用途を決定してバッテリーの再利用を効率的に支援することが可能なバッテリー再利用支援システムを提供することができる。
【００２７】
本発明によるバッテリー再利用支援システムにおいて、
前記記憶部は、前記用途のバッテリーの買取を希望する者を識別する情報と該バッテリーの買取希望額とを含む買取条件情報を記憶しており、
前記決定部は、前記買取条件情報に含まれる前記買取希望額に基づいて前記売渡額を決定するように構成され、
前記買取条件情報と前記決定部が決定した用途とを用いて、前記バッテリーの所有者から該バッテリーの買取を希望する者に該バッテリーを売り渡すことを示す情報であって前記売渡額を含む売渡情報を生成する売買部と、
前記売渡情報に含まれる前記売渡額に基づいてシステム利用者がシステム提供者に支払うべき対価である利用料を算出する算出部とを備えることが好ましい。
【００２８】
本発明のバッテリー再利用支援システムは、所定の用途のバッテリーの買取を希望する者を識別する情報と当該バッテリーの買取希望額とを含む買取条件情報を記憶している。
【００２９】
また、バッテリー再利用支援システムは、買取条件情報に含まれる買取希望額に基づいてバッテリーの売渡額を決定する。
【００３０】
そして、バッテリー再利用支援システムは、買取条件情報と用途とを用いて、バッテリーの所有者から当該バッテリーの買取を希望する者に当該バッテリーを売り渡すことを示す情報であって売渡額を含む売渡情報を生成するとともに、当該売渡額に基づいて利用料を算出する。
【００３１】
これにより、中古バッテリーの取引事業者などのシステム利用者は、効率的にバッテリーの買取希望者を見つけることができる。また、買取希望額に基づいて決定されたバッテリーの売渡額に基づいてシステムの利用料が算出されるので、システム利用者は、より売買の実情に則したシステム利用料を支払えばよい。
【００３２】
これらのことにより、システム利用者は、バッテリーをさらに安心して売買することができる。
【００３３】
このように本発明によれば、システム利用者がさらに安心してバッテリーを売買することができるバッテリー再利用支援システムを提供することができる。
【図面の簡単な説明】
【００３４】
【図１】本実施形態のバッテリー再利用支援システムの全体構成の一例を示す構成図
【図２Ａ】本実施形態のバッテリー再利用支援システムが処理に用いる情報の一例を示す表
【図２Ｂ】本実施形態のバッテリー再利用支援システムが処理に用いる情報の一例を示す表
【図２Ｃ】本実施形態のバッテリー再利用支援システムが処理に用いる情報の一例を示す表
【図２Ｄ】本実施形態のバッテリー再利用支援システムが処理に用いる情報の一例を示す表
【図２Ｅ】本実施形態のバッテリー再利用支援システムが処理に用いる情報の一例を示す表
【図３】本実施形態のバッテリー再利用支援システムの一連の処理のタイムテーブルの一例を示す概念図
【図４Ａ】本実施形態のバッテリー再利用支援システムの処理内容の一例を示すフローチャート
【図４Ｂ】本実施形態のバッテリー再利用支援システムの処理内容の一例を示すフローチャート
【図４Ｃ】本実施形態のバッテリー再利用支援システムの処理内容の一例を示すフローチャート
【図４Ｄ】本実施形態のバッテリー再利用支援システムの処理内容の一例を示すフローチャート
【図５Ａ】本実施形態のバッテリー再利用支援システムの出力内容の一例を示すイメージ図
【図５Ｂ】本実施形態のバッテリー再利用支援システムの出力内容の一例を示すイメージ図
【発明を実施するための形態】
【００３５】
以下、図面を用いて本発明の実施形態を説明する。
【００３６】
まず、図１を用いて、本実施形態のバッテリー再利用支援システムの
全体構成の一例について説明する。
【００３７】
本実施形態のバッテリー再利用支援システムは、サーバー１と利用者端末２とを備えている。サーバー１と利用者端末２とは、ネットワーク３を介して相互に通信可能に接続されている。あるいは、ネットワーク３を介してサーバー１と相互に通信可能に接続された買取希望者端末４を備えることとしてもよい。
【００３８】
サーバー１は、制御部１０及び記憶部２０を備えたコンピューターである。
【００３９】
利用者端末２は、例えば取得部３０及び出力部４０を備えたデバイスであり、専用のデバイスでもよいし、パーソナルコンピューター、スマートフォン、タブレット端末などの汎用的なデバイスにより構成されていてもよい。
【００４０】
利用者端末２の利用者Ｕとしては、中古バッテリーの取引事業者、中古車事業者、自動車修理事業者が想定される。あるいは、バッテリーの所有者Ｏ自身も利用者Ｕとなりうる。
【００４１】
ネットワーク３は、有線又は無線ネットワークであり、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット通信網である。
【００４２】
買取希望者端末４は、バッテリーの買取希望者Ｂが後述する買取条件情報２０２を入力し、サーバー１の記憶部２０に記憶させる入力部６０を備えたデバイスであり、専用のデバイスでもよいし、パーソナルコンピューター、スマートフォン、タブレット端末などの汎用的なデバイスにより構成されていてもよい。
【００４３】
入力部６０は、買取希望者Ｂによる情報の入力を受け付ける入力装置であり、たとえばキーボード、マウス、タッチパッド又はタッチパネルその他のポインティングデバイスである。
【００４４】
サーバー１の制御部１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。制御部１０は、一のプロセッサにより構成されてもよく、相互通信可能な複数のプロセッサにより構成されてもよい。
【００４５】
制御部１０は、所定のプログラムを読み込んで実行することにより、後述する処理を実行する認識部１０１、決定部１０２、算出部１０３、決済部１０４及び売買部１０５として機能する。
【００４６】
認識部１０１は、取得部３０が取得した情報に基づいてバッテリー５０の劣化状態を認識する。
【００４７】
決定部１０２は、認識部１０１が認識したバッテリー５０の劣化状態と記憶部２０に記憶されている用途情報２０１とに基づいて、当該バッテリー５０の用途を決定する。
【００４８】
また、決定部１０２は、バッテリー５０を当該用途に用いるために売り渡した際に得られる対価である売渡額を当該バッテリー５０の劣化状態に応じて決定する。
【００４９】
決定部１０２は、記憶部２０に記憶されている買取条件情報２０２に含まれる買取希望額に基づいて売渡額を決定してもよいし（例えば、各用途における買取希望額の最高額を売渡額と決定するなど）、例えばインターネットを介して価格サイトなどかバッテリーの取引価格を取得して、当該取得した取引価格から売渡額を決定してもよい。
【００５０】
算出部１０３は、決定部１０２が決定したバッテリー５０の売渡額に基づいてシステム利用者Ｕがシステム提供者Ｐに支払うべき対価である利用料を算出する。
【００５１】
決済部１０４は、システム利用者Ｕがシステム提供者Ｐに支払うべき対価である利用料を決済する。
【００５２】
売買部１０５は、買取条件情報２０２と決定部１０２が決定したバッテリー５０の用途とを用いて、当該バッテリー５０の所有者Ｏからバッテリー５０の買取を希望する者に該バッテリーを売り渡すことを示す情報であって売渡額を含む売渡情報２０３を生成する。
【００５３】
記憶部２０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されており、用途情報２０１、買取条件情報２０２、売渡情報２０３及び制御部１０による処理結果を記憶している。
【００５４】
用途情報２０１は、バッテリーの劣化状態に応じた当該バッテリーの用途を示す情報であり、図２Ａに示すように例えば用途ＩＤ、用途名称、劣化レベル、売渡額、及び売渡単位を含んでいる。
【００５５】
用途ＩＤは、例えばバッテリーの売り先の名称及び用途を表す識別子を含むアルファベット、数字及び記号の組み合わせで構成される。
【００５６】
用途名称は、用途ＩＤに対応するバッテリーの用途の名称を表す文字列である。用途名称は、例えば「電気自動車用にリユース」、「定置用蓄電池（ＥＳＳ）にリユース」、「リサイクル」などの大まかな用途でもよいし、あるいは図２Ａに示すように例えば「Ａ社電気自動車０１」、「Ｇ社リビルド電気自動車向け（モジュール）」、「Ｈ社リサイクル（セル）」などのより細かな用途であってもよい。
【００５７】
劣化レベルは、例えばバッテリーの劣化状態のレベルを表す識別子であり、アルファベット及び記号の組み合わせで構成される。劣化レベルは、例えば「Ｓ＋」が未使用状態を含む最も良好な状態であり、Ａ、Ｂ、Ｃ・・・となるにつれて劣化状態が進んだ状態であることを表している。
【００５８】
バッテリーの劣化レベルの決定基準は、例えばバッテリーの電流値、電圧値、周辺温度である。各劣化レベルに対応する電圧条件、電流条件、及び温度条件の値は例えば図２Ｂに示すようなテーブルに格納されている。なおこれらの値は、適宜に変更が可能である。
【００５９】
また、本実施例においては劣化レベルの決定基準としてバッテリー５０の電圧条件、電流条件、及び温度条件を用いる例を説明しているが、後述する充放電履歴が取得可能であれば充放電履歴が劣化レベルの決定基準として用いられうる。この場合、図２Ｂに示すようなテーブルには、電圧条件、電流条件、及び温度条件の値に加えて又は替えて、充放電履歴に関する値が格納されることとなる。
【００６０】
あるいは、バッテリーの劣化状態は、バッテリーの充電容量の減少度合いで表されてもよい。この場合、用途情報２０１は、劣化レベルに替えて又は加えて、バッテリーの充電容量の減少度合いを示す情報を含んでいる。バッテリーの充電容量の減少度合いを示す情報とは、例えば、未使用状態の充電容量を１００％とした場合の「８０％以上」、「８０％未満〜〇％以上」、「〇％未満」などの値である。
【００６１】
売渡額は、バッテリー５０を各用途に用いるために売り渡した際に得られる対価の金額である。売渡単位は各用途に対応するバッテリーの売渡の単位であり、例えば、セルであり、セルの集合体であるモジュールであり、あるいはモジュールの集合体であるパックである。
【００６２】
買取条件情報２０２は、所定の用途のバッテリーの買取を希望する者に関する情報であり、図２Ｃに示すように例えば用途ＩＤ、買取希望者ＩＤ、及び買取希望額を含んでいる。なお、買取条件情報２０２においては、同一の用途に対して、異なる買取希望者Ｂそれぞれの買取希望額が格納されうる。あるいは、同一の用途に対して、同一の買取希望者Ｂの異なる買取希望額が格納されうる。
【００６３】
買取希望者ＩＤは、各用途のバッテリー５０の買取を希望する者である買取希望者Ｂを識別する情報であり、アルファベット、数字及び記号の組み合わせで構成される。
【００６４】
買取希望額は、各用途のバッテリー５０を各買取希望者Ｂが買い取るとした場合の希望金額である。
【００６５】
売渡情報２０３は、バッテリー５０の所有者Ｏからバッテリー５０の買取を希望する者に当該バッテリー５０を売り渡すことを示す情報であり、図２Ｄに示すように、利用者ＩＤ、所有者情報、買取希望者ＩＤ及び売渡額を含んでいる。
【００６６】
所有者情報は、バッテリーの所有者Ｏを特定するための情報であり、例えばバッテリーの所有者Ｏの氏名、名称を表す識別子を含むアルファベット、数字及び記号の組み合わせで構成される。
【００６７】
取得部３０は、バッテリー５０の劣化状態に関連する情報を取得する装置であり、例えば電圧センサー、電流センサー及び温度センサーにより構成される。あるいは、これらに加えて又は替えて、バッテリー５０の充放電履歴が取得可能であれば充放電履歴を取得する取得装置により構成されていてもよい。
【００６８】
充放電履歴とは、例えば充放電の回数、各充放電の際に何パーセントの充電状態から何パーセントの充電状態まで充放電したか、各充放電の際の電圧又は電流の値、各充放電に要した時間などの情報である。
【００６９】
なお、取得部３０は、センサー又は取得装置などの、バッテリー５０から自動的に情報を取得する装置により構成されていなくともよい。例えば取得部３０は、システム利用者Ｕによるバッテリー５０の劣化状態に関連する情報の入力を受け付ける入力装置により構成されていてもよい。
【００７０】
取得部３０と利用者端末２とは、例えばケーブルを用いて通信可能に接続されている。あるいは取得部３０と利用者端末２とは、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット通信網などの有線又は無線ネットワークを用いて通信可能に接続されていてもよい。あるいは取得部３０は、利用者端末２と一体的に形成されていてもよい。
【００７１】
出力部４０は、バッテリー再利用支援システムが利用者に出力する情報を表示する部分であり、例えば液晶ディスプレイ、有機ＥＬディスプレイである。
【００７２】
バッテリー５０は、電気自動車用の車載バッテリー、家庭用蓄電池向けのバッテリー、電動の輸送用機器（カート、フォークリフトなど）、パーソナルコンピューター、携帯電話などの用途に対応した種々のバッテリーであり、例えば鉛蓄電池、ニッカド電池、ニッケル水素電池、リチウムイオン電池、あるいは燃料電池である。なお、バッテリー５０の電解質が液体であるか固体であるかを問わない。
【００７３】
次に、図３を用いて、本実施形態のバッテリー再利用支援システムの一連の処理について説明する。
【００７４】
まず、バッテリー再利用支援システムは、バッテリー５０の用途の決定あるいはバッテリーの売買を行うための準備として、買取条件入力処理（図３／Ｐ１０）と用途条件更新処理（図３／Ｐ２０）とを実行する。なお、各処理内容の詳細については後述する。
【００７５】
買取条件入力処理（図３／Ｐ１０）において、買取希望者端末４は、バッテリー５０の買取を希望する買取希望者Ｂによる買取条件情報２０２の入力を受け付けてサーバー１に送信する。買取希望者端末４は、買取希望者Ｂからの買取条件情報２０２の入力を任意のタイミングで繰り返し受け付けることができる。
【００７６】
用途情報更新処理（図３／Ｐ２０）において、サーバー１は、買取希望者端末４から受信した買取条件情報２０２に基づいて、用途情報２０１を更新する。サーバー１は、買取希望者端末４から買取条件情報２０２を受信する都度、あるいは、任意のタイミングで繰り返して、用途情報更新処理を実行する。
【００７７】
そして、バッテリー再利用支援システムは、任意のタイミングで利用者Ｕの操作に従って、あるいは自動的に、決定処理（図３／Ｐ３０１）及び算出処理（図３／Ｐ３０２）を含む、決定・算出処理（図３／Ｐ３０）を随時実行する。
【００７８】
（買取条件入力処理）
図４Ａを参照して、買取条件入力処理について説明する。買取条件入力処理を開始すると、まず買取希望者端末４の入力部６０は、買取希望者Ｂによる、用途を示す情報（用途ＩＤ）と、買取希望額との入力を受け付ける（図４Ａ／ＳＴＥＰ１０１）。
【００７９】
そして入力部６０は、入力された用途を示す情報と買取希望額及び、買取希望者Ｂを示す情報（買取希望者ＩＤ）とをサーバー１に送信する（図４Ａ／ＳＴＥＰ１０２）。
【００８０】
そしてサーバー１は、用途を示す情報と、買取希望額と、買取希望者を示す情報とを買取希望者端末４から受信し、記憶部２０に記憶して（図４Ａ／ＳＴＥＰ１１１）、処理を終了する。
【００８１】
（用途情報更新処理）
図４Ｂを参照して、用途情報更新処理について説明する。用途情報更新処理を開始すると、まずサーバー１は、記憶部２０に記憶されている買取条件情報２０２を取得し、用途ごとの最も高い買取希望額を抽出する（図４Ｂ／ＳＴＥＰ２０１）。
【００８２】
次にサーバー１は、記憶部２０に記憶されている用途情報２０１を取得する（図４Ｂ／ＳＴＥＰ２０２）。
【００８３】
そしてサーバー１は、用途情報２０１に含まれている各用途について、ＳＴＥＰ２０１において抽出された用途ごとの最も高い買取希望額で売渡額を更新し、記憶して（図４Ｂ／ＳＴＥＰ２０３）処理を終了する。このときサーバー１は、用途情報２０１に含まれている各用途のうち、対応する用途の買取希望額がない（つまり、当該用途のバッテリー５０の買取を希望している買取希望者Ｂが存在しない）用途については、例えば買取希望額を「なし」として記憶する。
【００８４】
続いて図４Ｃを参照して、決定・算出処理に含まれる決定処理の一例について説明する。
【００８５】
（決定処理）
決定処理を開始すると、まず利用者端末２の取得部３０は、利用者Ｕの操作応じてバッテリー５０の電圧、電流及び温度を取得し、サーバー１に送信する（図４Ｃ／ＳＴＥＰ３０１）。
【００８６】
このとき取得部３０は、バッテリー５０の電圧、電流及び温度を、バッテリー５０がその電力供給の対象である電気自動車、家庭用蓄電池、電動の輸送用機器、パーソナルコンピューター、携帯電話などの装置から取り外された状態で取得してもよいし、これらの装置に取り付けられ又は接続された状態のままで取得してもよい。
【００８７】
そして、サーバー１の認識部１０１は、バッテリー５０の電圧、電流及び温度を利用者端末２から受信する（図４Ｃ／ＳＴＥＰ３１１）。続いて認識部１０１は、受信したバッテリー５０の電圧、電流及び温度に基づいて当該バッテリー５０の劣化状態を認識する（図４Ｃ／ＳＴＥＰ３１２）。
【００８８】
電圧、電流及び温度に基づいたバッテリー５０の劣化状態の認識手法としては、種々の手法が採用されうる。例えば、図２Ｂに示すようなバッテリー５０の電圧、電流及び温度と劣化レベルとを対応付けたテーブルを予め記憶部２０に記憶させておき、認識部１０１が当該テーブルを参照して、受信したバッテリー５０の電圧、電流及び温度に対応する劣化レベルを認識する。
【００８９】
次に、サーバー１の決定部１０２は、記憶部２０に記憶されている用途情報２０１を参照し、ＳＴＥＰ３１２にて認識したバッテリー５０の劣化状態に基づいて、バッテリー５０の用途及び用途に対応する売渡額を決定する（図４Ｃ／ＳＴＥＰ３１３）。
【００９０】
すなわち例えば、ＳＴＥＰ３１２にて認識部１０１が認識したバッテリー５０の劣化状態（劣化レベル）が「Ｓ＋」であった場合、用途情報２０１中に記憶されている用途のうち、劣化レベルが「Ｓ＋」であるものは、図２Ａに示すように「Ａ００１−Ｐ」の「Ａ社電気自動車０１」であるので、当該バッテリー５０の用途は、「Ａ社電気自動車０１」であり、対応する売渡額は、「１，２００，０００円」であると決定し、これらの情報を含む情報を決定結果として利用者端末２に送信する。
【００９１】
あるいは、ＳＴＥＰ３１２にて認識部１０１が認識したバッテリー５０の劣化状態（劣化レベル）が「Ｓ＋」であった場合に、用途情報２０１中に記憶されている用途のうち、劣化レベルが「Ｓ＋」以下である用途であって売渡額の値がある用途を抽出して、これらすべての用途を当該バッテリー５０の用途として決定し、これらすべての用途に関する情報を決定結果として利用者端末２に送信するように決定部１０２が構成されていてもよい。
【００９２】
あるいは、取得部３０がＳＴＥＰ３０１にて取得してサーバー１に送信する情報は、バッテリーの充電容量の減少度合いであってもよい。この場合、サーバー１の決定部１０２は、例えば受信したバッテリーの充電容量の減少度合いに基づいて、当該バッテリーの用途を決定するように構成される。  続いて決定部１０２は、ＳＴＥＰ３１３における決定結果を利用者端末２に送信する（図４Ｃ／ＳＴＥＰ３１４）。
【００９３】
そして、利用者端末２は、サーバー１から決定結果を受信し、出力部４０に出力して（図４Ｃ／ＳＴＥＰ３２１）処理を終了する。
【００９４】
出力部４０が出力する内容の一例を示した図が図６Ａである。図６Ａにおいては、用途情報２０１中に記憶されている用途のうち、劣化レベルが「Ｓ＋」であった「Ａ００１−Ｐ」の「Ａ社電気自動車０１」に関する情報のみが出力されている。
【００９５】
出力部４０への出力内容は、図６Ａに示すように、劣化レベル３０１、利用可能用途３０２、売渡金額３０３及び売渡単位３０４と、利用者Ｕが希望する次の操作の指示を受け付けるためのボタンのアイコンが表示される。本実施例においては次の操作の指示を受け付けるためのボタンのアイコンとして、「売渡を希望」３０５と「売渡を希望しない」３０６とが表示されている。
【００９６】
「売渡を希望」３０５が押下された場合には、利用者端末２は、売渡を希望する場合の処理の実行を指示する情報をサーバー１に送信でき、「売渡を希望しない」３０６が押下された場合には、利用者端末２は、売渡を希望しない場合の処理の実行を指示する情報をサーバー１に送信できる。
【００９７】
あるいは、ＳＴＥＰ３１２にて認識部１０１が認識したバッテリー５０の劣化状態（劣化レベル）が以下である用途であって売渡額の値がある用途を抽出して、これらすべての用途が当該バッテリー５０の用途であると決定し、これらすべての用途に関する情報を決定結果として利用者端末２に送信するように決定部１０２が構成されている場合に、出力部４０が出力する内容の一例を示した図が図６Ｂである。
【００９８】
図６Ｂにおいては、用途情報２０１中に記憶されている用途のうち、劣化レベルが「Ｓ＋」以下である用途であって売渡額の値がある用途に関連する情報が一覧になって出力されている。そして、利用者Ｕがどの用途に対して売渡を希望するかの指定を受け付けるためのチェックボックス３０７が併せて表示されている。
【００９９】
このように構成されていることにより、バッテリー再利用支援システムの利用者Ｕは、バッテリー５０の劣化状態という客観的な情報に基づいて、当該バッテリー５０を現在の用途で使い続けることが可能かどうかに加え、他の用途において再利用可能であるか否かを知ることができるので、利用者Ｕ又はバッテリー５０の所有者Ｏは、バッテリー５０をバッテリー５０の劣化状態に応じた適切な用途に有効に活用することができる。
【０１００】
また、本構成のバッテリー再利用支援システムによれば、中古バッテリーの取引事業者などのシステム利用者Ｕは、バッテリー５０の劣化状態という客観的な情報に基づいて、当該バッテリー５０の用途に加え、当該用途に用いるために当該バッテリー５０を売り渡した際の対価の額を併せて知ることができるので、バッテリーを安心して値付けして売買を行うことができる。
【０１０１】
続いて図４Ｄを参照して、決定・算出処理に含まれる算出処理について説明する。
【０１０２】
（算出処理）
算出処理を開始すると、まず利用者端末２は利用者が希望する次の操作の指示を受け付けて、サーバー１に送信する（図４Ｄ／ＳＴＥＰ３３１）。
【０１０３】
そして、利用者が希望する次の操作の指示を受信したサーバー１の算出部１０３は、バッテリー５０の売渡指示を受け付けたか否かを判定する（図４Ｄ／ＳＴＥＰ３４１）。
【０１０４】
当該判定が否定的である場合（図４Ｄ／ＳＴＥＰ３４１：ＮＯ）に算出部１０３は、用途情報２０１に含まれる売渡額に基づいてシステム利用者Ｕがシステム提供者Ｐに支払うべき利用料を算出（図４Ｄ／ＳＴＥＰ３４２）した後に、ＳＴＥＰ３４５以降の処理を実行する。
【０１０５】
一方、当該判定が肯定的である場合（図４Ｄ／ＳＴＥＰ３４１：ＹＥＳ）に売買部１０５は、バッテリー５０の所有者Ｏから買取希望者Ｂに当該バッテリー５０を売り渡すことを示す売渡情報２０３を生成し、記憶部２０に記憶する（図４Ｄ／ＳＴＥＰ３４３）。
【０１０６】
さらに算出部１０３は、ＳＴＥＰ３４３にて生成した売渡情報２０３に含まれる売渡額に基づいてシステム利用者Ｕがシステム提供者Ｐに支払うべき利用料を算出する（図４Ｄ／ＳＴＥＰ３４４）した後に、ＳＴＥＰ３４５以降の処理を実行する。
【０１０７】
なお算出部１０３は、例えば以下のような流れでシステム利用者Ｕがシステム提供者Ｐに支払うべき利用料を算出する。
【０１０８】
まず、算出部１０３は用途情報２０１又は売渡情報２０３に含まれる売渡額を認識する。次に、図２Ｅに示すような、売渡額と利用料との対応表を参照し、売渡額に対応する利用料を取得して、当該利用料をシステム利用者Ｕがシステム提供者Ｐに支払うべき利用料とする。
【０１０９】
利用料の算出方法には種々の方法が採用されうる。算出部１０３は、例えば図２Ｅ（ａ）に示すような、利用者ＩＤごとに定められた利用料率に基づいて利用料を算定するように構成されており、例えば今回の利用者Ｕの利用者ＩＤがＡＡ００１であり、売渡額が１，２００，０００円である場合、対応する利用料である１．０％を売渡額にかけ合わせた額である１２，０００円が利用料としてまず算出される。さらに、本実施例においては、利用者ＩＤがＡＡ００１である利用者Ｕに対応する利用料の上限が１１，０００円と定められている。上記の算出結果が当該上限を超えているので、今回の利用料は１１，０００円と算出される。なお、利用料の下限が５００円と定められているので、売渡額に利用料率を掛け合わせた額が５００円を下回った場合には、利用料は５００円と算出される。
【０１１０】
あるいは算出部１０３は、例えば図２Ｅ（ｂ）に示すような、売渡額と利用料との対応表を参照してシステム利用者Ｕがシステム提供者Ｐに支払うべき利用料を算出することとしてもよい。この場合、売渡額が１，２００，０００円であれば、適用範囲の上限が１，４９９，９９９円で、下限が７５０，０００円である場合に当てはまり、対応する利用料が７，５００円であるので、今回の利用料は７，５００円と算出される。
【０１１１】
そして決済部１０４は、算出部１０３により算出された利用料に基づいて、利用料を決済する（図４Ｄ／ＳＴＥＰ３４５）。
【０１１２】
あるいは決済部１０４は、ＳＴＥＰ３４３にて売買部１０５が生成した売渡情報２０３に基づいて、売渡額についても併せて決済するように構成されていてもよい。
【０１１３】
続いてサーバー１は、ＳＴＥＰ３４１〜ＳＴＥＰ３４５の処理結果を利用者端末２に送信する（図４Ｄ／ＳＴＥＰ３４６）。
【０１１４】
そして利用者端末２は、サーバー１から処理結果を受信し、出力部に出力して（図４Ｄ／ＳＴＥＰ３５１）処理を終了する。
【０１１５】
このように、バッテリー５０の売渡額に基づいて利用料が算出されてシステム利用者Ｕからシステム提供者Ｐにバッテリー再利用支援システムの利用料が支払われることにより、システム利用料によりシステム提供者Ｐの費用負担が軽減されるので、システム提供者Ｐがバッテリー再利用支援システムの提供を継続しやすくなる。
【０１１６】
さらに、中古バッテリーの取引事業者などのシステム利用者Ｕは、効率的にバッテリーの買取希望者Ｂを見つけることができる。また、買取希望額に基づいて決定されたバッテリーの売渡額に基づいてシステムの利用料が算出されるので、システム利用者Ｕは、より売買の実情に則したシステム利用料を支払えばよい。これらのことにより、システム利用者Ｕは、バッテリーをさらに安心して売買することができる。
【０１１７】
上記述べてきたように、本発明によれば、バッテリー５０の用途を決定してバッテリー５０の再利用を効率的に支援することが可能なバッテリー再利用支援システムを提供することができる。
【０１１８】
以上、本発明の実施形態について図面を用いて説明したが、本発明はこれに限定されない。本発明の趣旨を逸脱しない範囲で、種々の変更が可能である。
【０１１９】
例えば、利用者端末２は、取得部３０により取得したバッテリー５０の電圧、電流及び温度をＵＳＢメモリやＣＤ−ＲＯＭなどの外部記憶媒体を介してサーバー１に受け渡すように構成されてもよい。この場合、サーバー１での処理結果は、サーバー1の表示装置を介して出力されることとしてもよい。
【０１２０】
あるいは例えば決定部１０２は、バッテリー５０の劣化レベルの決定の際に、図２Ｂのようなテーブルを用いずに、取得部３０により取得された情報に基づいて、所定のアルゴリズムや評価式を用いてバッテリー５０の劣化レベルを決定することとしてもよい。
【０１２１】
あるいは決定部１０２は、バッテリー５０の劣化状態を劣化レベルではなく、取得部３０により取得された情報に基づいて所定のアルゴリズムや評価式を用いて、例えば１００点〜０点などの点数を算出して決定することとしてもよい。
【０１２２】
あるいは例えば、サーバー１は用途情報更新処理において、記憶部２０に記憶されている買取条件情報２０２を取得し、用途ごとの最も高い買取希望額と最も安い買取希望額とを抽出し、用途情報２０１に含まれている各用途について、抽出された用途ごとの最も高い買取希望額と最も安い買取希望額とで「○円〜△円」のように買取希望額の幅を表す形式で売渡額を更新し、記憶するように構成されていてもよい。
【０１２３】
あるいは例えば、決定部１０２は、バッテリーの劣化状態に応じた売渡額に替えて又は加えて、バッテリーの劣化状態に応じた「月額〇円」、「年額〇円」などのレンタル料を決定するように構成されていてもよい。
【符号の説明】
【０１２４】
１…サーバー、２…利用者端末、３…ネットワーク、４…買取希望者端末、２０…記憶部、３０…取得部、４０…出力部、５０…バッテリー、１０１…認識部、１０２…決定部、１０３…算出部、１０４…決済部、１０５…売買部、Ｂ…買取希望者、Ｏ…所有者、Ｐ…システム提供者、Ｕ…システム利用者。
【図１】
2020038522.tif 000003
【図２Ａ】
2020038522.tif 000004
【図２Ｂ】
2020038522.tif 000005
【図２Ｃ】
2020038522.tif 000006
【図２Ｄ】
2020038522.tif 000007
【図２Ｅ】
2020038522.tif 000008
【図３】
2020038522.tif 000009
【図４Ａ】
2020038522.tif 000010
【図４Ｂ】
2020038522.tif 000011
【図４Ｃ】
2020038522.tif 000012
【図４Ｄ】
2020038522.tif 000013
【図５Ａ】
2020038522.tif 000014
【図５Ｂ】
2020038522.tif 000015